(57)【特許請求の範囲】
【請求項１】
第１構造物及び第２構造物におけるそれぞれの対向部分に配設した第１沓及び第２沓で構成し、該第１沓及び第２沓との対向部分における摺動面同士の摺動を許容する支承装置であって、
前記両摺動面のうち一方の摺動面を、他方の摺動面に比べて、前記摺動面の面内方向に広く形成する広摺動面とするとともに、前記他方の摺動面を狭摺動面とし、
前記面内方向と交差する方向に前記狭摺動面を弾性支持する弾性プレートと、
前記摺動面の面外方向に所定長さを有して、前記面内方向における前記狭摺動面の外側を環状に囲むとともに、前記面外方向にスライド可能に支持された環状部材と、
前記面外方向から見て所定間隔を隔てて環状に配置されるとともに、前記環状部材を、前記広摺動面に押圧接触させる付勢手段とを備えた
支承装置。
【請求項２】
前記第１構造物を下部構造物とするとともに、第２構造物を上部構造物とし、
第１沓を下沓とするとともに、第２沓を上沓とし、
該上沓の摺動面を前記広摺動面とするとともに、前記下沓の摺動面を前記狭摺動面とし、
前記付勢手段を、該環状部材を上向きに付勢する構成とした
請求項１に記載の支承装置。
【請求項３】
前記環状部材を、所定高さを有する円形の円形リング体で形成し、
前記下部構造物の対向部分における前記下沓の狭摺動面の外側に、前記円形リング体の遊嵌を許容する円形溝を備え、
前記付勢手段を、円形溝内部に配置した
請求項２に記載の支承装置。
【発明の詳細な説明】
【技術分野】
【０００１】
この発明は、例えば、橋梁等における橋脚等の下部構造物で、主桁等の上部構造物を支持する支承装置に関する。
【背景技術】
【０００２】
従来より、例えば、橋梁、免震構造物、あるいは固定構造物同士を接続する接続部分等の振動や相対変位が生じる構造物において、可動支持する支承装置がある。このような、支承装置は、主桁等の被支持構造物と、橋脚等の支持構造物との間に配設され、被支持構造物に固定された上沓と、支持構造物に固定された下沓との境界面、つまり摺動面が摺動することで、境界面における面内方向に変位可能に支持することができる。
【０００３】
しかし、この境界面である摺動面に、ゴミ、粉塵、あるいは埃などのダストが侵入すると、上沓と下沓とがスムーズに摺動しないおそれがある。また、ダストが侵入したまま上沓と下沓とが摺動すると、上沓と下沓の境界面である摺動面に傷が入って摺動抵抗が増大したり、摩耗が進むおそれがあった。
【０００４】
そのような問題に対して、特許文献１では、面内方向における境界面である摺動面の外側を包囲する防塵カバーが提案されている。  
この防塵カバーは、平面視円形となる円筒状の弾性部材で構成し、下部構造物の境界面である摺動面に対して押し付けるように、上部構造物に固定している。これにより、上沓と下沓との境界面、つまり摺動面へのダストの侵入を防止することができるとされている。
【０００５】
しかし、上記防塵カバーは、防塵カバー自体の弾性によって下部構造物の摺動面に対して押し付けているため、例えば、高荷重下において、防塵カバーと下部構造物の摺動面との摺動が繰り返されると、防塵カバーが磨耗したり、変形したりして、防塵カバーのシール機能が低下するするおそれがあった。
【先行技術文献】
【特許文献】
【０００６】
【特許文献１】実開平６−７１７３２号公報
【発明の概要】
【発明が解決しようとする課題】
【０００７】
そこで本発明では、確実に防塵できるとともに、耐久性のある環状部材を備えた支承装置を提供することを目的とする。
【課題を解決するための手段】
【０００８】
この発明は、第１構造物及び第２構造物におけるそれぞれの対向部分に配設した第１沓及び第２沓で構成し、該第１沓及び第２沓との対向部分における摺動面同士の摺動を許容する支承装置であって、前記両摺動面のうち一方の摺動面を、他方の摺動面に比べて、前記摺動面の面内方向に広く形成する広摺動面とするとともに、前記他方の摺動面を狭摺動面とし、前記面内方向と交差する方向に前記狭摺動面を弾性支持する弾性プレートと、前記摺動面の面外方向に所定長さを有して、前記面内方向における前記狭摺動面の外側を環状に囲むとともに、前記面外方向にスライド可能に支持された環状部材と、前記面外方向から見て所定間隔を隔てて環状に配置されるとともに、前記環状部材を、前記広摺動面に押圧接触させる付勢手段とを備えたことを特徴とする。
【０００９】
上記第１構造物及び第２構造物は、例えば、橋脚を第１構造物とし、主桁を第２構造物とする橋梁、ビルを第１構造物とし、ビルとビルとを連絡する渡り廊下を第２構造物とする連絡通路、柱を第１構造物とし、トラス屋根を第２構造物とする屋根構造、あるいは、ビルを第１構造物とし、別のビルを第２構造物とするエキスパンション構造における構造物とすることができる。
【００１０】
上記第１沓及び第２沓は、第１構造物及び第２構造物を上下方向に配置した場合における下沓と上沓とで構成することができる。  
上記支承装置は、可動支承であり、摺動面における面内方向の任意の方向に可動する全方向可動支承、あるいは面内方向の一方向に可動する一方向可動支承とすることができる。
【００１１】
上記面内方向は、例えば、第１沓及び第２沓との対向部分における摺動面が平面である場合、摺動面を構成する平面上の方向であり、該平面に交差する方向を含まない概念である。
【００１２】
上記環状部材は、面内方向において狭摺動面の外側を環状に囲めばよく、面内方向における円形、略矩形あるいは略三角形等の略多角形で構成することができる。  
上記付勢手段は、コイルスプリング等のスプリング、あるいはゴム等の弾性体で構成することができる。
【００１３】
この発明により、第１沓及び第２沓との対向部分における摺動面同士の間へのダストの侵入を、耐久性よく、確実に防止することができる。  
詳しくは、広摺動面と狭摺動面とが摺動する際に、環状部材が狭摺動面の外側を環状に囲むとともに、面内方向において広い広摺動面に環状部材を付勢手段によって押圧接触し、広摺動面と環状部材とが摺動しているため、広摺動面と狭摺動面との間にダストが侵入することを防止できる。
【００１４】
また、環状部材は、付勢手段によって面内方向において広い広摺動面に押圧接触されているため、高荷重下で広摺動面と環状部材との摺動が繰り返された場合であっても、環状部材の摩耗や変形を抑制することができる。
【００１５】
また、例えば、第１沓に対して第２沓が面外方向に変位し、過度の荷重が環状部材に作用した場合であっても、過度の荷重を付勢手段によって吸収することができるため、環状部材が破損するおそれを防止することができる。したがって、第１沓及び第２沓との対向部分における摺動面同士の間へのダストの侵入を、耐久性よく、確実に防止することができる。
【００１６】
この発明の態様として、前記第１構造物を下部構造物とするとともに、第２構造物を上部構造物とし、第１沓を下沓とするとともに、第２沓を上沓とし、該上沓の摺動面を前記広摺動面とするとともに、前記下沓の摺動面を前記狭摺動面とし、前記付勢手段を、該環状部材を上向きに付勢する構成とすることができる。
【００１７】
この発明により、より耐久性よく、ダストの侵入をより確実に防止することができる。  
詳しくは、上部構造物に配置される上沓の摺動面を広く形成し、下部構造物に配置される下沓の外側を囲む環状部材を、付勢手段によって上向きに付勢しているため、自重によって落下するダストが、上沓の広摺動面と下沓の狭摺動面の間に侵入する可能性を低減することができる。また、付勢手段が環状部材を上向きに付勢するため、過度の荷重が環状部材に作用しにくく、環状部材の耐久性をより向上することができる。
【００１８】
また、この発明の態様として、前記環状部材を、所定高さを有する円形の円形リング体で形成し、前記下部構造物の対向部分における前記狭摺動面の外側に、前記円形リング体の遊嵌を許容する円形溝を備え、前記付勢手段を、円形溝内部に配置することができる。
【００１９】
この発明により、ダストの侵入を、さらに確実に防止することができるとともに、環状部材の耐久性をさらに向上することができる。  
詳しくは、環状部材を、所定高さを有する円形の円形リング体で形成しているため、下沓に対する上沓のいずれの方向の変位にも環状部材が追従することができ、ダストの侵入をさらに確実に防止することができる。
【００２０】
また、下部構造物の対向部分における下沓の狭摺動面の外側に、円形リング体の遊嵌を許容する円形溝を備え、付勢手段を、円形溝内部に配置しているため、下部構造物と上部構造物の対向部分において、下沓の狭摺動面の外側を隙間無く囲むことができる。
【００２１】
また、円形リング体が遊嵌する円形溝の内部に付勢手段を配置しているため、確実に上向きに環状部材を付勢することができる。したがって、ダストの侵入を、さらに確実に防止することができる。
【００２２】
さらにまた、例えば、下沓に対して上沓が面外方向に変位した場合であっても、環状部材を、所定高さを有する円形の円形リング体で形成しているため、局所的に過度の荷重が環状部材に作用することを防止することができる。したがって、環状部材の耐久性をさらに向上することができる。
【発明の効果】
【００２３】
本発明により、確実に防塵できるとともに、耐久性のある環状部材を備えた支承装置を提供することができる。
【図面の簡単な説明】
【００２４】
【図１】支承装置の斜視図。
【図２】支承装置の平面図。
【図３】支承装置についての説明図。
【図４】ダストシールについての拡大断面図。
【図５】下沓の分解斜視図。
【発明を実施するための形態】
【００２５】
この発明の一実施形態を以下図面と共に説明する。  
図１は支承装置１の斜視図を示し、図２は支承装置１の平面図を示し、図３は支承装置１についての説明図を示し、図４はダストシール２０について拡大断面図を示し、図５は下沓１０の分解斜視図を示している。
【００２６】
詳しくは、図３（ａ）は支承装置１の縦断面図を示し、図３（ｂ）は支承装置１の側面図を示している。また、図４は、図３（ａ）におけるａ部の拡大断面図を示している。
【００２７】
支承装置１は、上部構造物である主桁（図示省略）を、下部構造物である橋脚（図示省略）で支持する橋梁における支承装置であり、主桁の底面に固定された上沓と、橋脚の上面に固定された下沓１０とで構成している。詳しくは、支承装置１は、上沓の摺動面を構成するソールプレート２と、下沓１０とを備えている。  
なお、鋼製のソールプレート２は、平面視四角形状に形成され、ソールプレート２の底面であるソールプレート底面２ａに硬質クロムメッキを施している。
【００２８】
下沓１０は、下から順に、側面視ハット状のベースポット１１と、弾性プレート１２、シム１３、第１シールリング１４、第２シールリング１５、ピストン１６、ベアリング１７、ダストシール２０とで構成している。
【００２９】
ベースポット１１は、鋼製であり、図示省略する橋脚の上面に固定する平面視四角形の固定台座１１１と、該固定台座１１１の平面視中央に配置された円筒形のベースポット本体１１２とで構成している。  
なお、図２に示すように、図示省略する橋脚の上面に固定する固定ボルトの挿通を許容するボルト孔１１１ａを、固定台座１１１の四隅に形成している。
【００３０】
また、ベースポット本体１１２の上面１１２ａには、弾性プレート１２、シム１３、第１シールリング１４、第２シールリング１５及びピストン１６の嵌合を許容する円筒形の凹部で構成する嵌合凹部１１３と、該上面１１２ａの平面視外側でダストシール２０の遊嵌を許容する平面視円形の円形溝１１４とを形成している。なお、円形溝１１４の溝内部には、周方向において等間隔に配置したピン１１５ａに遊嵌させてコイルスプリング１１５を装着している。
【００３１】
弾性プレート１２は、嵌合凹部１１３よりわずかに小さな径の平面視円形、且つ嵌合凹部１１３の深さの半分程度の高さを有するゴム製のプレートである。  
シム１３は、弾性プレート１２と同じ径の平面視円形形状で形成したフッ素樹脂製の薄板で形成している。
【００３２】
第１シールリング１４及び第２シールリング１５は、径外側が垂直面となる断面台形状の円形リングであり、外径が弾性プレート１２及びシム１３と同じ径で形成し、第１シールリング１４及び第２シールリング１５における台形断面における内径側が、連続して上方に向かうにつれ径外側に広がる傾斜面で形成している。
【００３３】
ピストン１６は、ステンレス製の略円錐台形状であり、後述するベアリング１７の嵌合を許容する円形凹部１６ａを上面に形成し、第１シールリング１４及び第２シールリング１５の嵌合を許容する嵌合溝１６ｂを外周面の下端に形成している。
【００３４】
ベアリング１７は、フッ素樹脂で構成された平面視円形の板状体であり、自己潤滑性を有しており、表面が低摩擦係数である。そして、円形凹部１６ａに嵌合することによって、ベアリング１７は、ピストン１６の上面に接合されている。
【００３５】
なお、ピストン１６の上面にベアリング１７が嵌合する円形凹部１６ａを形成せずとも、ピストン１６の上面にベアリング１７を、接着剤等により直接接合する構成であってもよい。
【００３６】
ダストシール２０は、図４に示すように、上方に凸な略ホームベース型の六角形断面で構成した円形のリング体である。詳しくは、円形溝１１４に遊嵌する径で形成し、コイルスプリング１１５によって上向きに付勢されるシール底面２０ａ、及びソールプレート底面２ａに当接するシール上面２０ｂは、水平面を構成している。
【００３７】
このように構成した下沓１０は、弾性プレート１２、シム１３、並びに嵌合溝１６ｂに第１シールリング１４及び第２シールリング１５を嵌合させ、円形凹部１６ａにベアリング１７を嵌め込んだピストン１６を、下からこの順で嵌合凹部１１３に嵌合する。そして、固定台座１１１の円形溝１１４において、ピン１１５ａに遊嵌させたコイルスプリング１１５の上方からダストシール２０を遊嵌させて下沓１０を組付ける。
【００３８】
さらに、主桁に固定されたソールプレート２を下沓１０の上方から載置して支承装置１を構成する。このとき、ベアリング１７の上面であるベアリング上面１７ａとソールプレート底面２ａとが接し、摺動することができる。
【００３９】
なお、下沓１０のベアリング１７に比べ、ソールプレート２とベアリング１７とが摺動する摺動面における面内方向、つまり平面視において、ソールプレート２を広く形成している。
【００４０】
このように構成した支承装置１は、ソールプレート２に係る主桁の荷重を、ベアリング１７、ピストン１６及びシム１３を介して弾性プレート１２に作用させ、ベースポット１１で受けて、橋脚で支持することができる。  
ここで、弾性プレート１２の上面を覆うシム１３によって、ソールプレート２を介した主桁の荷重は弾性プレート１２に均等に作用する。
【００４１】
また、台形断面で形成した第１シールリング１４及び第２シールリング１５をピストン１６の外周側下端の嵌合溝１６ｂに嵌合しているため、ベースポット１１に対してソールプレート２が傾くような面外方向の変位によって荷重が作用した場合であっても、ステンレス製のピストン１６の角部が弾性プレート１２に食い込むように作用することを防止している。
【００４２】
なお、本実施形態においては、ピストン１６の嵌合溝１６ｂに２つのシールリング１４，１５を嵌合する構成であったが、一体構成されたシールリングを嵌合溝１６ｂに嵌合する構成であっても、同様の効果を得ることができる。
【００４３】
また、支承装置１は、下沓１０とソールプレート２の対向面、すなわち摺動面の面内方向における橋脚に対する主桁の可動を許容しながら支持することができる。つまり、支承装置１は、下沓１０に対するソールプレート２の可動を許容することができる。
【００４４】
詳しくは、支承装置１を構成する下沓１０とソールプレート２との境界面、すなわち、摺動面であるベアリング上面１７ａ及びソールプレート底面２ａは、ソールプレート２をベアリング１７に対して広く形成しているため、相対的にソールプレート底面２ａをベアリング上面１７ａが摺動することとなる。
【００４５】
このとき、硬質クロムメッキが施されたソールプレート底面２ａと、自己潤滑性を有し、表面が低摩擦係数であるベアリング上面１７ａとは、スムーズに摺動することができる。
【００４６】
なお、底面が研磨されたスライドプレートをソールプレート底面２ａに装着し、スライドプレートの研磨された底面と、表面が低摩擦係数であるベアリング上面１７ａとが、スムーズに摺動する構成であってもよく、同様の効果を得ることができる。
【００４７】
さらに、橋脚及び主桁におけるそれぞれの対向部分に配設した下沓１０及び上沓で構成した支承装置１は、下沓１０及び上沓との対向部分におけるベアリング１７とソールプレート２の摺動を許容し、ソールプレート２を、ベアリング１７に比べて、摺動面の面内方向に広く形成するとともに、面内方向におけるベアリング上面１７ａの外側を環状に囲むダストシール２０と、ダストシール２０を、ソールプレート底面２ａに押圧接触させるコイルスプリング１１５とを備えたことにより、下沓１０及び上沓との対向部分におけるベアリング上面１７ａとソールプレート底面２ａとの間へのダストの侵入を、耐久性よく、確実に防止することができる。
【００４８】
詳しくは、ソールプレート底面２ａで構成する摺動面とベアリング上面１７ａで構成する摺動面とが摺動する際に、ダストシール２０がベアリング上面１７ａの外側を環状に囲むとともに、コイルスプリング１１５によって面内方向において広いソールプレート底面２ａにダストシール２０を押圧接触しているため、ベアリング上面１７ａとソールプレート底面２ａとの間の境界面、つまり摺動面にダストが侵入することを防止することができる。
【００４９】
また、ダストシール２０は、面内方向において広いソールプレート底面２ａに対してコイルスプリング１１５によって押圧接触されているため、高荷重下でダストシール２０のシール上面２０ｂとソールプレート底面２ａとの摺動が繰り返された場合であっても、ダストシール２０の摩耗や変形を抑制することができる。
【００５０】
なお、ダストシール２０のシール上面２０ｂが摺動するソールプレート底面２ａには、硬質クロムメッキが施されているため、ダストシール２０のシール上面２０ｂとソールプレート底面２ａとの摺動抵抗が低減し、ダストシール２０の摩耗をより抑制することができる。
【００５１】
さらには、例えば、下沓１０に対して上沓が面外方向に変位し、過度の荷重がダストシール２０に作用した場合であっても、過度の荷重をコイルスプリング１１５によって吸収することができるため、ダストシール２０が破損するおそれを防止できる。したがって、下沓１０及び上沓との対向部分におけるベアリング上面１７ａとソールプレート底面２ａとの間へのダストの侵入を、耐久性よく、確実に防止することができる。
【００５２】
また、主桁に固定される上沓のソールプレート２を広く形成し、橋脚の上部に固定された下沓１０の外側を囲むダストシール２０を、コイルスプリング１１５によって上向きに付勢しているため、自重によって落下するダストが、上沓のソールプレート底面２ａと下沓１０のベアリング上面１７ａの間に侵入する可能性を低減することができる。また、コイルスプリング１１５がダストシール２０を上向きに付勢するため、過度の荷重がダストシール２０に作用しにくく、ダストシール２０の耐久性をより向上することができる。
【００５３】
また、ダストシール２０を、所定高さを有する円形の円形リング体で形成し、橋脚の対向部分におけるベアリング１７の外側に、ダストシール２０の遊嵌を許容する円形溝１１４を備え、コイルスプリング１１５を、円形溝１１４内部に配置したことにより、ダストの侵入を、さらに確実に防止することができるとともに、ダストシール２０の耐久性をさらに向上することができる。
【００５４】
詳しくは、ダストシール２０を、所定高さを有する円形の円形リング体で形成しているため、下沓１０に対する上沓のいずれの方向の変位にもダストシール２０が追従することができ、ダストの侵入を、さらに確実に防止することができる。
【００５５】
また、橋脚に固定された下沓１０のベアリング上面１７ａの外側に、円形リング体の遊嵌を許容する円形溝１１４を備え、コイルスプリング１１５を円形溝１１４の溝内部に配置しているため、橋脚に固定された下沓１０と主桁に固定されたソールプレート２との対向部分において、下沓１０のベアリング上面１７ａの外側を隙間無く囲むことができる。
【００５６】
また、ダストシール２０が遊嵌する円形溝１１４の内部にコイルスプリング１１５を配置しているため、確実に上向きにダストシール２０を付勢することができる。したがって、ダストの侵入を、さらに確実に防止することができる。
【００５７】
さらにまた、例えば、下沓１０に対して上沓、すなわち主桁が面外方向に変位した場合であっても、所定高さを有する円形の円形リング状にダストシール２０を形成しているため、局所的に過度の荷重が作用することを防止することができる。したがって、ダストシール２０の耐久性をさらに向上することができる。
【００５８】
このように、支承装置１は、高荷重下においても、摩耗や変形によるダストシール２０のシール機能の低下を防止し、支承装置１における摺動部分であるベアリング上面１７ａとソールプレート底面２ａとの間へのダストの侵入を確実に防止し、下沓１０に対する上沓の滑り性能及び鉛直方向の回転軸を中心とする回転変位を阻害することなく、主桁を橋脚で支持することができる。
【００５９】
なお、上述の支承装置におけるダストシールを、主桁に固定されたソールプレート２が載置した状態で交換可能に構成してもよい。  
具体的には、ダストシールを２分割する構成とするとともに、円形溝をベースポット本体から取り外し可能に構成することによって、主桁に固定されたソールプレート２を下沓１０に載置したままの状態でダストシールを交換可能にすることができる。
【００６０】
詳しくは、平面視円形を略半円状に２分割した分割ダストシールの嵌合を許容する円形溝を上面に備えたリングを、分割ダストシールと同様に、略半円状に２分割構成するとともに、ベースポット本体の外周側上端部に脱着可能に組み付ける。
【００６１】
なお、このとき、略半円状の分割ダストシールの端部を、内周面から外周面に向かって、周方向に傾斜させた傾斜面で形成し、この傾斜端部同士を対向させて組み合わせ、ダストシール２０と同様の円形リング体を構成する。
【００６２】
このような、傾斜端部同士を対向させて組み合わせた分割ダストシールを、ベースポット本体に組付けた分割リングの円形溝に遊嵌させることにより、上述の支承装置１と同様の効果を得ることができる。
【００６３】
なお、分割ダストシールの傾斜端部を、内周面から外周面に向かって、周方向に傾斜させた傾斜面で形成しているため、組み合わせた分割ダストシールは、径内外方向を遮断することができる。したがって、分割ダストシールで外側を囲む、ベアリング１７とソールプレート２とが対向する摺動面にダストが侵入することを確実に防止できる。
【００６４】
さらには、主桁に固定されたソールプレート２が載置された状態で、分割リングをベースポットから取り外すことができるため、下沓１０からソールプレート２をジャッキアップすることなく、分割ダストシールを取り替えることができる。
【００６５】
なお、分割ダストシールの両端部は、上述のような内周面から外周面に向かって、周方向に傾斜させた傾斜面だけでなく、分割ダストシールの径内外を遮断するために、略半楕円状の凸部と凹部とを嵌合させる凹凸端部で構成してもよい。
【００６６】
以上、本発明の構成と、前述の実施態様との対応において、
本実施形態の第１構造物又は下部構造物は、橋脚に対応し、
以下同様に、
第２構造物又は上部構造物は、主桁に対応し、
第１沓は、下沓１０，２１０に対応し、
第２沓は、上沓に対応し、
第１沓の摺動面、又は狭摺動面は、ベアリング上面１７ａに対応し、
第２沓の摺動面、又は広摺動面は、ソールプレート底面２ａに対応し、
環状部材は、ダストシール２０又は分割ダストシールに対応し、
付勢手段は、コイルスプリング１１５に対応するも、上記実施形態に限定するものではない。
【００６７】
例えば、橋脚で主桁を支持する場合の支承装置１について説明したが、ビルとビルとを連絡する渡り廊下をビルから支持する場合の支承装置、トラス屋根を柱で支持する場合の支承装置、あるいは、ビル同士を接続するエキスパンション構造における支承装置として用いてもよい。
【００６８】
さらには、ダストシール２０を円形で構成したが、略矩形や三角形等の多角形で構成してもよい。  
また、ソールプレート２を介して下沓１０に作用する主桁の重量に応じて、コイルスプリング１１５のバネ定数を調整し、ダストシール２０の磨耗や変形をより抑制してもよい。
【符号の説明】
【００６９】
１，２０１…支承装置
２ａ…ソールプレート底面
１０，２１０…下沓
１７ａ…ベアリング上面
２０…ダストシール
１１４，２１４…円形溝
１１５…コイルスプリング
【図１】
0005677654.tif 000002
【図２】
0005677654.tif 000003
【図３】
0005677654.tif 000004
【図４】
0005677654.tif 000005
【図５】
0005677654.tif 000006